(57)【要約】【課題】様々なフォーマットの信号が増大していく中、映像信号として、セットアップされた信号とされていない信号は混在している。そのどちらかに合わせて画質制御を行うと、黒潰れや黒浮きといった画質劣化を招く形となっていた。従来のセットアップ検出機能は映像信号１フィールドの輝度レベルの最小値が基準値よりも低いかどうかで判断していた。そのためノイズに弱くセットアップされていない信号であってもセットアップされていると誤検出する可能性があった。【解決手段】映像信号１フィールドのＡＰＬ（画面平均輝度）から暗い映像かどうかを判断してから輝度レベルのヒストグラムを作成することによりノイズにより誤検出を防ぐことができる。【選択図】図１
2007189575.tif 000002
【特許請求の範囲】
【請求項１】
映像、音声、データを含む番組及び番組に関連する情報であるサービス付加情報を受信する情報受信装置において、
映像信号をペデスタルレベルでクランプするペデスタルクランプ手段と、
前記ペデスタルクランプ手段によりペデスタルクランプされた映像信号をデジタル信号に変換するＡ／Ｄ変換手段と、
Ａ／Ｄ変換された離散データから映像信号１フィールド期間のＡＰＬを取得するＡＰＬ検出手段と、
検出されたＡＰＬと基準値とを比較するＡＰＬ比較手段と、
映像信号１フィールドを構成する輝度のヒストグラムを取得するヒストグラム演算手段と、
取得したヒストグラムと基準値とを比較するヒストグラム比較手段と、
前記ＡＰＬ比較手段と前記ヒストグラム比較手段から得られた結果からセットアップされている信号かの判断を行う制御手段と、
セットアップされている信号に対し黒レベルを下げると同時にピークレベルを均一に保つように階調補正を行う演算手段と、
入力された映像信号を処理する映像信号処理手段と、
前記映像信号処理手段による出力信号である映像信号を表示させる表示手段からなる自動映像処理システム。
【請求項２】
映像、音声、データを含む番組及び番組に関連する情報であるサービス付加情報を受信する情報受信装置において、
映像信号をペデスタルレベルでクランプする映像信号変換ステップと、
ペデスタルクランプされた映像信号をデジタル信号に変換するＡ／Ｄ変換ステップと、
Ａ／Ｄ変換された離散データから映像信号１フィールド期間のＡＰＬを取得するＡＰＬ検出ステップと、
検出されたＡＰＬと基準値とを比較するＡＰＬ比較ステップと、
映像信号１フィールドを構成する輝度のヒストグラムを取得するヒストグラム演算ステップと、
取得したヒストグラムと基準値とを比較するヒストグラム比較ステップと、
ＡＰＬ比較ステップとヒストグラム比較ステップから得られた結果からセットアップされている信号かの判断を行う制御ステップと、
セットアップされている信号に対し黒レベルを下げると同時にピークレベルを均一に保つように階調補正を行う演算ステップと、
入力された映像信号を処理する映像信号処理ステップと、
前記映像信号処理ステップによる出力信号である映像信号処理を行った映像信号を表示させる表示ステップからなる自動映像処理方法。
【発明の詳細な説明】
【技術分野】
【０００１】
本発明は、テレビジョン受像機を含めた映像機器に関するものである。
【背景技術】
【０００２】
映像信号がセットアップされているかの判断をするため映像信号をペデスタルでクランプしデジタル信号に変換した後、映像信号のＡＰＬ（画面平均輝度）を基準値と比較し基準値より低い輝度レベルが存在しない場合にセットアップありと判断し映像信号から所定値を減算する処理を行う。また、デジタル変換した映像信号と所定値を減算した映像信号とを切り替えることにより自動的に映像の黒浮き、黒潰れを抑えていた。（例えば、特許文献１参照）図４は前記特許文献１に記載された従来の自動映像処理システムを示すものである。
【０００３】
図４において符号４０１は入力される映像信号をペデスタルでクランプするペデスタルクランプ部である。符号４０２はペデスタルクランプ部４０１からの映像信号をデジタル信号に変換するＡ／Ｄ変換部である。符号４０３は映像信号の黒レベルのセットアップあり判定の基準値を記憶する記憶部である。符号４０４はＡ／Ｄ変換部４０２よりの映像信号の輝度レベルを記憶部４０３より読み出した基準値と比較し基準値より低い輝度レベルが存在しない場合にセットアップありを示す信号を出力する比較部である。
符号４０５は比較部４０４よりのセットアップありの信号に基づきＡ／Ｄ変換部４０２よりの映像信号から所定値を減算する演算部、符号４０６はＡ／Ｄ変換部４０２よりの映像信号と演算部４０５よりの映像信号とを切り替え出力する切替部で、比較部４０４よりのセットアップありの信号にて演算部４０５に切り替わる。符号４０７は記憶部４０３、比較部４０４、演算部４０５及び切替部４０６を制御する制御部である。
【特許文献１】特開２００２−５７９１６号公報
【発明の開示】
【発明が解決しようとする課題】
【０００４】
様々なフォーマットの信号が増大していく中、映像信号として、セットアップされた信号とされていない信号は混在している。そのどちらかに合わせて画質制御を行うと、黒潰れや黒浮きといった画質劣化を招く形となっていた。
入力された映像信号から、セットアップされたものかどうかを検出し、その結果を映像信号処理に反映することができれば、これらの画質劣化を改善することができる。ここで、従来のセットアップ検出機能は映像信号１フィールドの輝度レベルの最小値が基準値よりも低いかどうかで判断していた。そのためノイズに弱くセットアップされていない信号であってもセットアップされていると誤検出する可能性があった。
【０００５】
本発明は映像信号１フィールドのＡＰＬ（画面平均輝度）から暗い映像かどうかを判断してから輝度レベルのヒストグラムを作成することによりノイズにより誤検出を防ぐことができることを目的とする。
【課題を解決するための手段】
【０００６】
前記課題を解決するために自動映像処理システムは、映像信号をペデスタルレベルでクランプするペデスタルクランプ部とペデスタルクランプされた映像信号をデジタル信号に変換するＡ／Ｄ変換部とＡ／Ｄ変換された離散データから映像信号１フィールド期間のＡＰＬ（画面平均輝度）を取得するＡＰＬ検出部と検出されたＡＰＬと基準値とを比較するＡＰＬ比較部と映像信号１フィールドを構成する輝度のヒストグラム（度数分布）を取得するヒストグラム演算部と取得したヒストグラムと基準値とを比較するヒストグラム比較部とＡＰＬ比較部、ヒストグラム比較部から得られた結果からセットアップされている信号かの判断を行う制御部とセットアップされている信号に対し黒レベルを下げると同時にピークレベルを均一に保つように階調補正を行う演算部と入力された映像信号を処理する映像信号処理部と最適な映像信号処理を行った映像信号を表示させる表示部とを備えたことを特徴とする。
【０００７】
また、本発明の請求項２に係る自動映像処理システムは請求項１の自動映像処理システムの構成において、映像信号をペデスタルレベルでクランプする映像信号変換ステップとペデスタルクランプされた映像信号をデジタル信号に変換するＡ／Ｄ変換ステップとＡ／Ｄ変換された離散データから映像信号１フィールド期間のＡＰＬ（画面平均輝度）を取得するＡＰＬ検出ステップと検出されたＡＰＬと基準値とを比較するＡＰＬ比較ステップと映像信号１フィールドを構成する輝度のヒストグラム（度数分布）を取得するヒストグラム演算ステップと取得したヒストグラムと基準値とを比較するヒストグラム比較ステップとＡＰＬ比較ステップ、ヒストグラム比較ステップから得られた結果からセットアップされている信号かの判断を行う制御ステップとセットアップされている信号に対し黒レベルを下げると同時にピークレベルを均一に保つように階調補正を行う演算ステップと入力された映像信号を処理する映像信号処理ステップと最適な映像信号処理を行った映像信号を表示させる表示ステップとを備えたことを特徴とする。
【発明の効果】
【０００８】
本発明により、ペデスタルクランプ部、Ａ／Ｄ変換部、ＡＰＬ検出部、ヒストグラム演算部、ヒストグラム比較部、制御部、演算部、映像信号処理部、表示部を設けることによりセットアップつき信号であることを精度よく検出し、ノイズによる誤検出を防ぐことができ、またセットアップつき映像であると認識した場合には、自動的に映像信号の黒レベルを受像機ディスプレイの黒レベルと一致させると同時に、白ピークレベルをも一致させることで、受像機ディスプレイの出力ダイナミックレンジを有効に使用することができ、同時に黒浮きなどの画質劣化を最小限に抑えることができる。
【発明を実施するための最良の形態】
【０００９】
以下、本発明の実施の形態について、図面を参照しながら説明する。
【００１０】
（実施の形態１）
図１は本発明の実施の形態１に係る自動映像処理システムの構成を示すブロック図である。
符号１０１は入力された映像信号ａをペデスタルレベルでクランプするペデスタルクランプ部、符号１０２はペデスタルクランプされた映像信号ｂをデジタル信号に変換するＡ／Ｄ変換部、符号１０３はＡＰＬ検出部であり、Ａ／Ｄ変換部１０２でＡ／Ｄ変換された離散データｃから映像信号１フィールド期間のＡＰＬ（画面平均輝度）を取得する。
符号１０４はヒストグラム演算部でありＡ／Ｄ変換部１０２でＡ／Ｄ変換された離散データｃから映像信号１フィールドを構成する輝度のヒストグラムを取得する。
符号１０５はマイクロコンピュータでありＡＰＬ検出部１０３より取得されたＡＰＬデータｄとヒストグラム演算部１０４より取得されたヒストグラムｅからセットアップされた信号であるかを判断し映像信号処理部１０６にセットアップされた信号に対して最適な映像信号処理を行う。符号１０６は映像信号処理部であり、Ａ／Ｄ変換部１０２でＡ／Ｄ変換された離散データｃとマイクロコンピュータ１０５で演算された結果ｇから入力された映像信号ａに対して最適な処理を行う。符号１０７は記憶部であり、ＡＰＬ検出部１０３より取得されたＡＰＬデータｄとヒストグラム演算部１０４より取得されたヒストグラムｅのそれぞれの基準値ｆが記憶されている。なお、基準値ｆはＡＰＬ検出部１０３より検出されたＡＰＬデータｄから入力された映像信号ａが暗い画面かどうかを判断する基準値ｆ１と、ヒストグラム演算部１０４より取得したヒストグラムｅから入力された映像信号ａがセットアップされた信号かどうかを判断する輝度レベルの基準値ｆ２と基準値ｆ２より小さい輝度レベルの度数の基準値ｆ３からなる。すなわちＡＰＬ検出部１０３より検出されたＡＰＬデータｄが基準値ｆ２よりも小さくかつヒストグラム演算部１０４より取得したヒストグラムｅが基準値ｆ３よりも小さければ入力された映像信号ａはセットアップされた信号であると判断する。符号１０８は表示部であり映像信号処理部１０６で入力された映像信号ａに対して最適な処理が行われた映像信号ｈを表示する。
【００１１】
また、図２は図１マイクロコンピュータ１０５の詳細ブロック図である。
符号２０１はＡＰＬ検出部１０３より取得されたＡＰＬデータｄと記憶部１０７に記憶されている基準値ｆ１とを比較するＡＰＬ比較部であり、ＡＰＬデータｄが基準値ｆ１よりも小さければその映像信号は暗い映像であると判断する。符号２０２はヒストグラム演算部１０４より取得されたヒストグラムｅと記憶部１０７に記憶されている基準値ｆ２、ｆ３とを比較するヒストグラム比較部であり、ヒストグラムｅから基準値ｆ２よりも低い輝度レベルの度数が基準値ｆ３よりも小さければセットアップされた信号であると判断する。
符号２０３はＡＰＬ比較部２０１より取得されたＡＰＬを特徴量とした比較結果ｈとヒストグラム比較部２０２より取得されたヒストグラムを特徴量とした比較結果ｉからセットアップされた映像信号であるかの判断を行う制御部である。符号２０４は制御部２０３でセットアップされた映像信号かどうかの結果ｊからセットアップされている映像信号と判断された場合黒レベルを下げると同時にピークレベルを均一に保つように階調補正を行う演算部である。
【００１２】
次に、本発明の自動映像処理システムについて図３に示すフローチャートを用いて説明する。
ステップ３０１において入力された映像信号１フィールドをペデスタルレベルにクランプした映像信号を取得する。次にステップ３０２において取得した映像信号１フィールド期間のＡＰＬ（画面平均輝度）を取得する。また、ステップ３０３にておいて映像信号１フィールドを構成する輝度のヒストグラムを取得する。
ステップ３０４において取得したＡＰＬが基準値１よりも低い場合、入力された映像信号が暗い映像であると判断する。暗い映像であると判断されれば、ステップ３０５に移行し取得したヒストグラムから基準値２よりも低い輝度レベルの度数が基準値３よりも少なければ入力された映像信号がセットアップされていると判断し、ステップ３０６で黒レベルをペデスタルレベルに下げると同時にピークレベルを均一に保つように階調補正を行う演算を行う。なお、セットアップされている映像信号かどうかを判断する際に基準値２よりも低い輝度レベルの度数は基準値３を持たせても“０”としてもよい。また入力された映像信号が明るいと判断されたり、セットアップされていないと判断された場合は演算を行わず処理速度を軽減する。
【産業上の利用可能性】
【００１３】
本発明の自動映像処理システムはＡＰＬを用いて入力された映像が暗いかどうかの判断をしてから輝度レベルのヒストグラムを用いてセットアップされた信号かどうかの判断を行うことにより、セットアップつき信号であることを精度よく検出し、ノイズによる誤検出を防ぐことができ、またセットアップつき映像であると認識した場合には、自動的に映像信号の黒レベルを受像機ディスプレイの黒レベルと一致させると同時に、白ピークレベルをも一致させることで受像機ディスプレイの黒浮きなどの画質劣化を最小限に抑えることができるという特徴を有し、映像処理手段を装備したテレビジョン受信装置として有用である。
【図面の簡単な説明】
【００１４】
【図１】本発明における自動映像処理システムの構成を示すブロック図
【図２】図１符号１０５の詳細な構成を示すブロック図
【図３】本発明における自動映像処理システムのフローチャート
【図４】従来の自動映像処理システムの構成を示すブロック図
【符号の説明】
【００１５】
１０１    ペデスタルクランプ部
１０２    Ａ／Ｄ変換部
１０３    ＡＰＬ検出部
１０４    ヒストグラム演算部
１０５    マイクロコンピュータ
１０６    映像信号処理部
１０７    記憶部
１０８    表示部
２０１    ＡＰＬ比較部
２０２    ヒストグラム比較部
２０３    制御部
２０４    演算部
４０１    ペデスタルクランプ部
４０２    Ａ／Ｄ変換部
４０３    比較部
４０４    演算部
４０５    切替部
４０６    記憶部
４０７    制御部
ａ    入力された映像信号
ｂ    ペデスタルクランプされた映像信号
ｃ    Ａ／Ｄ変換された離散データ
ｄ    ＡＰＬデータ
ｅ    ヒストグラム
ｆ１    入力された映像信号が暗い画面かどうかを判断する基準値
ｆ２    入力された映像信号がセットアップされた信号かどうかを輝度レベルから判断する基準値
ｆ３    入力された映像信号がセットアップされた信号かどうかを度数から判断する基準値
ｇ    演算結果
ｈ    最適な映像信号処理が行われた映像信号
ｉ    ＡＰＬを特徴量とした比較結果
ｊ    ヒストグラムを特徴量とした比較結果
ｋ    セットアップされた映像信号かどうかの結果
【図１】
2007189575.tif 000003
【図２】
2007189575.tif 000004
【図３】
2007189575.tif 000005
【図４】
2007189575.tif 000006